(57)【特許請求の範囲】
【請求項１】
含塵空気の流路内に配置された電気集塵機の極板及び碍子に付着・堆積しているダストに、高圧水を吹き付けて、前記ダストを除去する前記電気集塵機の再生方法において、
前記ダストを高圧水で洗い流した後に、メインブロアを駆動して前記流路内に空気を流通させると共に、前記碍子に高圧水を吹き付けたノズルから前記碍子に向けて６０℃以上の熱風を吹き付けて該碍子を乾燥してなることを特徴とする電気集塵機の再生方法。
【請求項２】
前記碍子に向けて前記熱風を吹き付ける前に、前記極板に高圧水を吹き付けたノズルのうち、前記極板の上方に設けられて上方から下方へ高圧水を吹き付けるノズルから冷風を吹き出させることを特徴とする請求項１記載の電気集塵機の再生方法。
【発明の詳細な説明】
【０００１】
【発明の属する技術分野】
本発明は、自動車用道路のトンネル内等に用いられるような電気集塵機の再生方法に係わる。
【０００２】
【従来の技術】
従来から、自動車用道路のトンネル内に用いられる電気集塵機の再生方法として、電気集塵機の極板に付着・堆積するダストに向けて、高圧空気を吹き付けて除去する方法と、高圧水を吹き付けて除去する方法とがある。
【０００３】
前者の高圧空気を吹き付ける方法は、多くの自動車用道路のトンネル内に設置されているが、高圧空気を吹き付けるだけの方法ではダストを落しきれず再生が不十分な場合がある。
単に自動車の排気ガスから発生するダストだけなら、炭素が主体であり電気集塵機の極板等に付着するダストはさらさらしており除去がし易い。しかし、冬期になると、坂道等に融雪剤の塩化カルシウムの散布が行われる。従って、融雪剤がタイヤに付着してトンネル内に持ち込まれて、融雪剤とコンクリートダストがトンネル内で結合して粘着性のある粒子となり浮遊し、その後、電気集塵機に捕集される。
【０００４】
このように、粘着性があるダストの場合は、極板等にへばりついているので前者の高圧空気を吹き付けるだけの方法では、それを除去しきれない。しかし、後者のような高圧水を吹き付ける方法であれば、空気より質量の大きい水を洗浄剤として吹き付けるから、洗浄効果が高くへばりついたダストでも除去することができる。
【０００５】
そこで、電気集塵機に向けて高圧水をノズルから吹き付け、極板及び碍子に付着したダストを洗い流し、その後、水を止めてから、メインブロアから風を送り込み極板を乾燥すると共に、表面が凹凸してる碍子に付着した水滴を高圧空気で吹き飛ばしながら乾燥させている。このような再生方法では、碍子の乾燥に長時間を要し、再生処理が長びく要因となっている。
【０００６】
例えば、極板の乾燥が０．５分間で終了しても側方に設けられている碍子の乾燥が３０分間かかり、碍子の乾燥が遅いために再生後の立ち上げは、碍子の乾燥終了時間に合わせて行うしかなかった。
【０００７】
【発明が解決しようとする課題】
そこで、本発明は電気集塵機の碍子の乾燥時間を短縮し、再生を短時間で終了させ得る方法を提供する。
【０００８】
【課題を解決するための手段、発明の実施の形態及び発明の効果】
本発明の請求項１に記載の発明は、含塵空気の流路内に配置された電気集塵機の極板及び碍子に付着・堆積しているダストに、高圧水を吹き付けて、前記ダストを除去する前記電気集塵機の再生方法において、
前記ダストを高圧水で洗い流した後に、メインブロアを駆動して前記流路内に空気を流通させると共に、前記碍子に高圧水を吹き付けたノズルから前記碍子に向けて６０℃以上の熱風を吹き付けて該碍子を乾燥してなることを特徴とする。
【０００９】
これにより、請求項１に記載の発明によれば、碍子を高圧水で洗浄後、熱風を用いて乾燥することによって、碍子の乾燥時間を早めることができるので、再生後の立ち上げ時間を早くすることができる。
又、前記ノズルを碍子に対する高圧水の吹き付けにも兼用するので、高圧水用と高圧空気用のノズル及び配管が兼用できる。したがって、流路内の配管等が少なくて済み集塵中の圧力損失が小さくて済む。
また、本発明の請求項２に記載の発明は、前記碍子に向けて前記熱風を吹き付ける前に、前記極板に高圧水を吹き付けたノズルのうち、前記極板の上方に設けられて上方から下方へ高圧水を吹き付けるノズルから冷風を吹き出させることを特徴とする。
これにより、請求項２に記載の発明では、集塵中に高圧水を吹き出したノズルから極板に水滴が落下することを防止できる。
【００１０】
【実施例】
実施例を図に基づいて説明する。
実施例の電気集塵機の再生装置は、図１に示すように、集塵部の極板Ａとその上流に配置された放電部の極板Ｂとからなる電気集塵機１の再生装置である。
【００１１】
含塵空気の流路１０内に電気集塵機１を配置し、電気集塵機１の流路１０の上流には、流路１０を遮るための開閉可能なダンパ列５１と流路１０の下流に開閉可能なダンパ列５２を配置し、後部ダンパ列５２の下流にメインブロア１１が備えてある。
【００１２】
極板Ａと流路１０の上流に配置された極板Ｂの側方には極板Ａ用の一対の碍子６０ａ，６０ｂ，６０ｃ，６０ｄと、極板Ｂ用の碍子７０ａ，７０ｂ，７０ｃ，７０ｄが夫々に設けてある。
実施例に用いられる再生装置は、高圧水又は高圧空気を吹き付けるノズルとその吹き付ける流体を供給するための流体供給装置とからなっている。
【００１３】
ノズルは、極板洗浄用と碍子洗浄用とに分けて配置させてある。極板洗浄用は、電気集塵機１とダンパ列５１との間に配置させてあるノズル５３と、電気集塵機１とダンパ列５２との間に配置させてあるノズル５４と、電気集塵機１の上方に配置させてあるノズル５５ａ，５５ｂ，５５ｃとからなっている。碍子洗浄用は、電気集塵機１の側面（図１で見ると紙面の手前側）の極板Ａ用の碍子６０ａ，６０ｂ，６０ｃ，６０ｄにノズル５６ａ，５６ｂ，５６ｃ，５６ｄが夫々の碍子に吹出口を向けて配置させてある。又、極板Ｂ用の碍子７０ａ，７０ｂ，７０ｃ，７０ｄにノズル５７ａ，５７ｂ，５７ｃ，５７ｄが夫々の碍子に吹出口を向けて配置させてある。
【００１４】
流体供給装置２０は、高圧水供給ラインと熱風供給ラインとからなり、高圧水供給ラインは、水を貯留するための水槽２と、水を送るためのポンプ３をパイプ２１を介して接続し、ポンプ３からパイプ２２で合流点２３まで接続させてある。又、合流点２３からはメインパイプ２４が電気集塵機１の近くまで配置させてあり、メインパイプ２４には複数の分岐点が付いている。この分岐点からノズル５３に接続用のパイプ２５が、他の分岐点からノズル５５ａ，５５ｂ，５５ｃに接続用のパイプ２７が、他の分岐からノズル５４に接続用のパイプ２９が、極板Ａ，Ｂの洗浄用として設けてある。又、他の分岐点からノズル５７ａ，５７ｂ，５７ｃ，５７ｄに接続用のパイプ２６と、他の分岐点からノズル５６ａ，５６ｂ，５６ｃ，５６ｄに接続用のパイプ２８が碍子の洗浄用として設けてある。
【００１５】
さらに、夫々のパイプに流体開閉用のバルブを次のように設けてある。パイプ２２の経路中にバルブＶ１と、パイプ２５の経路中にバルブＶ５と、パイプ２６の経路中にバルブＶ６と、パイプ２７の経路中にバルブＶ７と、パイプ２８の経路中にバルブＶ８と、パイプ２９の経路中にバルブＶ９を開閉可能に備えてある。
【００１６】
熱風供給ラインは、空気を圧縮して送り込むためのコンプレッサ４と空気を加熱するためのヒーター５とからなり、コンプレッサ４とヒーター５はパイプ３１を介して接続させてあり、ヒーター５から合流点２３まではパイプ３５を介して接続させてある。尚、パイプ３１の経路中にはバルブＶ２が備えられ、パイプ３５の経路中にはバルブＶ４が熱風供給用として備えてある。又、バイパス３３が、パイプ３１のバルブＶ２の手前からパイプ３５のバルブＶ４と合流点２３の間にヒーター５を迂回させて設けてあり冷風も供給できるようにしてある。尚、バイパス３３の経路中にはバルブＶ３が備えてある。
さらに、合流点２３からノズルまでの間は高圧水供給ラインを兼用させることができるようにしてある。尚、電気集塵機１の下部には排水口９０が設けられている。
【００１７】
このような再生装置を用いて次のようにして電気集塵機１の再生を行なう。
第１工程は、ダンパ列５１及びダンパ列５２を閉じて流路１０を閉鎖し、メインブロア１１を停止する。次に、電気集塵機１の電源を切りダストが極板Ａ，Ｂから除去し易くなるようにする。その後、Ｖ１〜Ｖ９まで全部閉にしてあるバルブの内Ｖ１，Ｖ５，Ｖ７，Ｖ９を開にし、（この場合バルブＶ２，Ｖ３，Ｖ４，Ｖ６，Ｖ８はそのまま閉にしておく、）ポンプ３で水槽２からパイプ２１を介して水を吸い上げて加圧し、この高圧水をパイプ２２、バルブＶ１、合流点２３、メインパイプ２４を介し分岐点からパイプ２５を介してノズル５３へ、又、分岐点からパイプ２７を介してノズル５５ａ，５５ｂ，５５ｃへ、さらに、分岐点からパイプ２９を介してノズル５４へと夫々に高圧水を供給し、流路１０の上流側と下流側と上方のノズルから同時に約１分間高圧水を吹き付けて極板Ａ，Ｂに付着しているダストを洗い流し、排水口９０から外部に洗い流した水を排出する。
【００１８】
第２工程は、バルブＶ５，Ｖ７，Ｖ９を閉にし、その後、バルブＶ６，Ｖ８を開にしてノズル５７ａ，５７ｂ，５７ｃ，５７ｄから碍子７０ａ，７０ｂ，７０ｃ，７０ｄに向けて高圧水を吹き付けると共に、同様にノズル５６ａ，５６ｂ，５６ｃ，５６ｄから碍子６０ａ，６０ｂ，６０ｃ，６０ｄに向けて高圧水を約１分間吹き付けて碍子に付着しているダストを洗い流し、第１工程同様に排水口９０から外部に洗い流した水を排出させる。
【００１９】
第３工程は、バルブＶ１，Ｖ６，Ｖ８を閉とした後、ダンパ列５１，５２を開とし、メインブロア１１を作動し、流路１０に含塵空気を吸い込み極板Ａ，Ｂの乾燥を開始する。
これと同時にコンプレッサー４で大気を高圧空気とし、バルブＶ３を開とし、バイパス３３を介してコンプレッサ４から冷風を供給し、合流点２３、メインパイプ２４、パイプ２７を介して、ノズル５５ａ，５５ｂ，５５ｃから冷風を３０秒間吹き出し、ノズル５５ａ，５５ｂ，５５ｃやメインパイプ２４、パイプ２７に付着・滞留している水を冷風で吹き飛ばし、集塵中にノズル５５ａ，５５ｂ，５５ｃから極板Ａ，Ｂに水滴が落下しないようにする。
【００２０】
第４工程は、バルブＶ３，Ｖ７を閉とした後、バルブＶ２，Ｖ４，Ｖ６，Ｖ８を開とし、コンプレッサ４の高圧空気をパイプ３１を介してヒーター５に送り込みヒーター５で所定温度の熱風とする。尚、所定温度の熱風は先に用意しておくこともできる。次にヒーター５からパイプ３５、メインパイプ２４、パイプ２６を介して熱風を供給し、ノズル５７ａ，５７ｂ，５７ｃ，５７ｄから碍子７０ａ，７０ｂ，７０ｃ，７０ｄに向けて吹出口の温度６０℃の熱風を１０分間吹き付けると共に、パイプ２８を介して熱風を供給し、ノズル５６ａ，５６ｂ，５６ｃ，５６ｄからも碍子６０ａ，６０ｂ，６０ｃ，６０ｄに向けて吹出口の温度６０℃の熱風を１０分間吹き付けると、夫々の碍子の乾燥が終了する。
【００２１】
その後、バルブＶ６，Ｖ８，及びバルブＶ２，Ｖ４を閉にして電気集塵機１の再生が終了する。
第４工程のその他の実施例として、夫々のノズルの吹出口の温度を７０℃にしてやると８分間で夫々の碍子の乾燥が終了し、さらに、夫々のノズルの吹出口の温度を８０℃にしてやると５分間で夫々の碍子の乾燥を終了させることができる。
【図面の簡単な説明】
【図１】  実施例の要部を表す断面図。
【符号の説明】
１…電気集塵機、２…水槽、３…ポンプ、４…コンプレッサ、５…ヒータ、１０…流路、１１…メインブロア、５３，５４，５５ａ，５５ｂ，５５ｃ，５６ａ，５６ｂ，５６ｃ，５６ｄ、５７ａ，５７ｂ，５７ｃ，５７ｄ…ノズル、６０ａ，６０ｂ，６０ｃ，６０ｄ，７０ａ，７０ｂ，７０ｃ，７０ｄ…碍子。
【図１】
0003666127.tif 000002